(57)【特許請求の範囲】
【請求項１】
上面、両側面、並びに前記上面及び前記両側面に開口する段付き底面を有する略直方体のベース部材と、該ベース部材に一体的に連結されると共にヨークの断面に対応する略矩形の内部断面を有する略筒状中空部材であるコイル部材とを有し絶縁性材料で形成されたコイルベース部材を具備するリレーにおいて、
前記コイルベース部材は、前記コイル部材の内側面から、前記ベース部材の前記上面、前記両側面及び前記段付き底面まで延びる側面開口を有し、
該側面開口に、略Ｃ形状をなす前記ヨーク及び略Ｃ形状をなす傾斜アーマチュアが互いに反転した位置関係で且つ前記ヨーク及び前記傾斜アーマチュアの下端が接した状態で前記ヨーク及び前記傾斜アーマチュアの前記下端を受容することを特徴とするリレー。
【請求項２】
前記コイル部材は、前記ヨークを横方向に位置決めするために、前記側面開口に隣接して配置された位置決め突起を有するカラーを有することを特徴とする請求項１記載のリレー。
【請求項３】
前記リレーは、前記ヨーク及び前記コイル部材の周囲に巻かれたコイル、前記ヨーク及び前記傾斜アーマチュアを有する磁石システムを更に具備し、
前記ヨークは、ヨークウエブ、上側ヨーククロスバー及び下側ヨーククロスバーを有し、
前記傾斜アーマチュアは、アーマチュアウエブ、上側アーマチュアクロスバー及び下側アーマチュアクロスバーを有し、
前記ヨーク及び前記傾斜アーマチュアは、該ヨーク及び傾斜アーマチュアが前記コイルベース部材に設置するための設置位置に位置する際に鏡像反転するように、略Ｃ形状に形成されることを特徴とする請求項１又は２記載のリレー。
【請求項４】
前記アーマチュアウエブは、前記設置位置の前記ヨークから離れた側面に傾斜面を有し、
前記上側アーマチュアクロスバーは段部を有することを特徴とする請求項３記載のリレー。
【請求項５】
前記下側ヨーククロスバーは、前記ヨークウエブを超えて突出する延長部を有し、
該延長部は、前記コイルベース部材の前記側面開口に隣接する延長部受容凹部と係合することを特徴とする請求項３又は４記載のリレー。
【請求項６】
前記ヨーク及び前記傾斜アーマチュアは同一構造を有することを特徴とする請求項３記載のリレー。
【請求項７】
前記リレーは、リリースばね、櫛歯を介して前記傾斜アーマチュアに連結された切換えばね及び作動ばねを有するばねシステムを更に具備し、
前記上側ヨーククロスバー及び前記上側アーマチュアクロスバーは、前記ばねシステム側から離れる方向に面する上縁に横溝及び段部を有することを特徴とする請求項３又は６記載のリレー。
【請求項８】
前記リレーは、リリースばね、櫛歯を介して前記傾斜アーマチュアに連結された切換えばね及び作動ばねを有するばねシステムを更に具備し、
前記リリースばね、前記切換えばね及び前記作動ばねの各々は、ロック装置を有する一体の足要素を有し、
前記ロック装置は、前記足要素を前記ベース部材に設けられた挿入スロット内に固定し、
前記ロック装置は、前記足要素が前記挿入スロット内に挿入される際に前記挿入スロットを自動的にロックし、前記ばねの位置を固定することを特徴とする請求項１ないし７のうちいずれか１項記載のリレー。
【発明の詳細な説明】
【０００１】
【発明の属する技術分野】
本発明はリレーに関し、より詳細には組立を簡単にし、製造コストを低減しそして強度を増大するために一体部品を有するように設計されたリレーに関する。
【０００２】
【従来の技術及び発明が解決しようとする課題】
リレーは、電磁的に駆動される電気スイッチである。従来のリレーは、多くは同様の構造を有する広い範囲の部品を必要とするのが一般的である。従来のリレーに必要とされる部品が重要である結果、従来のリレーの製造は大きなコスト及び組立時間を要していた。
【０００３】
従来のリレーの一例は独国出願公開第１９８０４５７２号に開示されている。リレーは、コイルベース部材、カバー、ばねシステム及び磁石システムを有する。コイルベース部材は、電気的に絶縁性の材料で形成され、コイル部材に連結されたベース部材を有する。磁石システムは、コイル、ヨーク及び傾斜アーマチュアを有する。コイルは、ヨークの断面に対応する矩形の内部断面を有する筒状中空部材であり、自由端にカラーを有する。ばねシステムは、少なくとも１個のリリースばね、１個の切換えばね及び１個の作動ばねを有する。リリースばね、切換えばね及び作動ばねは、深さ方向端部の停止部を具備する一体足と、ロック装置と、及びベース部材の挿入スリットに挿入できる一体構造である少なくとも１個のコンタクト舌片とを有する。少なくとも１個のアーマチュアばねは、複数のばねの１個と共に一体に構成され、そのばねと平行に配置されている。櫛歯は、傾斜アーマチュア及び切換えばねを結合させる。カバーは、リリースばね及び作動ばねを配置するための停止部、及びリレーを覆うための停止部を有する。
【０００４】
部品の数及びリレーに使用される構造がコストを高くするので、部品の数が限定され、製造及び組立コストを低減し、全体の強度を向上するリレーを提供することが望ましい。
【０００５】
【課題を解決するための手段】
本発明は、コイルベース部材を有するリレーを提供することを目的とする。コイルベース部材は、ベース部材と、ベース部材に一体的に連結されたコイル部材とを有する。ベース部材は、上面、両側面及び底面を有する。コイル部材は内側面を有する。コイルベース部材は、コイル部材の内側面から、ベース部材の上面、両側面及び底面まで延びる側面開口を有する。
【０００６】
本発明の別の目的は、コイルベース部材及び磁石システムを有するリレーを提供することである。コイルベース部材は、ベース部材及びコイル部材を有する。磁石システムは、コイル、ヨーク及び傾斜アーマチュアを有する。ヨークは、ヨークウエブ、上側ヨーククロスバー及び下側ヨーククロスバーを有する。傾斜アーマチュアは、アーマチュアウエブ、上側アーマチュアクロスバー及び下側アーマチュアクロスバーを有する。傾斜アーマチュア及びヨークは、それらがコイルベース部材に設置するための設置位置に位置する際に鏡像反転するように形成される。
【０００７】
本発明のさらに別の目的は、コイルベース部材、磁石システム及びばねシステムを有するリレーを提供することである。コイルベース部材は、ベース部材及びコイル部材を有する。磁石システムは、コイル、ヨーク及び傾斜アーマチュアを有する。ばねシステムは、リリースばね、切換えばね及び作動ばねを有する。各ばねは、ベース部材内に足要素を固定するロック装置を有する一体の足要素を有する。
【０００８】
【発明の実施の形態】
以下、添付図面を参照して本発明を詳細に説明する。図１は、本発明の、カバーのない第１実施形態のリレーを示す斜視図である。図２は、図１のリレーのコイルベース部材を示す斜視図である。図３は、図１のリレーのヨークを示す斜視図である。図４は、図１のリレーの傾斜アーマチュアばねから離れた側を示す斜視図である。図５は、設置位置に位置する図３及び図４の傾斜アーマチュア及びヨークを示す斜視図である。図６は、図１のリレーの櫛歯を示す斜視図である。図７は、図１のリレーの２個のアーマチュアばねを有する切換えばねを示す斜視図である。図８は、図１のリレーのリリースばね又は作動ばねを示す斜視図である。図９は、図７及び図８の切換えばね及び作動ばねを有するばねシステムを示す斜視図である。図１０は、ヨーク、ばねシステム及びコイルを有する図２のコイルベース部材を示す斜視図である。図１１は、上部カバー部分を除いたカバーを有する図１のリレーを示す斜視図である。図１２は、停止部を有する図１１のカバーを示す内部斜視図である。
【０００９】
図１は、コイルベース部材１と、櫛歯４によりばねシステム３に連結された磁石システム２とを有するリレーの第１実施形態を示す。図１及び図２に示されるように、コイルベース部材１は、電気的に絶縁性の材料で形成され、一体的に連結されたコイル部材５及びベース部材６を具備する。コイル部材５は、図３に示されるヨーク７の断面に対応する略矩形の内部断面を有する略筒状中空部材である。図２に示されるように、内部断面は、狭い内側面８と、自由端に配置されたカラー９とを有する。カラー９は位置決め突起４０を有する。
【００１０】
図２に示されるように、ベース部材６は、両側面１２、段付き底面１３及び上面１１を有する。ベース部材６は、第１挿入スロット１４、第２挿入スロット１５、第３挿入スロット１６及びコンタクトピン６０を有する。挿入スロット１４，１５，１６はロック突起４７を有する。側面開口１０は、コイル部材５の狭い内側面８から、上面１１、側面１２及び底面１３に延びる。側面開口１０に隣接するのは延長受容凹部３１である。
【００１１】
図１に示されるように、磁石システム２は、コイル２８、ヨーク７及び傾斜アーマチュア２０を具備する。図３に示されるように、ヨーク７は、略Ｃ形状をなし、上側及び下側ヨーククロスバー２３，２４を一体的に連結するヨークウエブ２１を有する。上側及び下側ヨーククロスバー２３，２４はヨークウエブ２１を超えて突出する。上側ヨーククロスバー２３の第１端は、櫛歯４のフォーク２９用の空間を提供するヨーク段部２７を有する。ヨークウエブ２１を超えて延びるのは延長部３０である。延長部３０は、図２に示されるベース部材６の対応する延長受容凹部３１内に嵌まるように形成され、コイル部材５の所定の軸方向位置にヨーク７を固定する。
【００１２】
図４に示されるように、傾斜アーマチュア２０は、略Ｃ形状をなし、上側及び下側アーマチュアクロスバー２５，２６を一体的に連結するアーマチュアウエブ２２を有する。上側アーマチュアクロスバー２５は、第１及び第２横段部３４，３５をそれぞれ有する第１及び第２縦段部３２，３３を有する。第２横段部３５は、櫛歯４の櫛歯フォーク２９のヒンジ３７用に設けられた横溝３６を有する。加えて、第１及び第２横段部３４，３５は、ヨーク７に取り付けるために、櫛歯フォーク２９用及びカバー３９の第１段部３８用に空間を提供する。ヨーク７の厚さは一定であるが、アーマチュアウエブ２２の断面は、ヨーク７から離れた側で上部アーマチュアクロスバー２５に向かって連続的に減少する。
【００１３】
図１及び図５に示されるように、ヨーク７及びアーマチュア２０は、側面からコイルベース部材１の側面開口１０内に挿入するために設置位置で鏡像反転されている。傾斜アーマチュア２０の移動を可能にする十分な空間が、側面開口１０内及び段付き底面１３に設けられる。対照的に、ヨーク７は、付加的な空間が殆どない状態でコイル部材５の矩形内部断面に嵌まる。
【００１４】
ヨーク７の延長部３０は、図２に示される延長部受容凹部３１と係合し、コイル部材５の軸方向位置にヨーク７を固定する。カラー９上に設けられた弾性位置決め突起４０は、ヨーク７を横方向に位置決めし、ヨーク７が設置位置に到達するとヨーク７にスナップ係合する。コイル２８は、カラー９によりガイドされたヨーク７の周囲に巻かれ、ヨーク７を設置位置に固定する。傾斜アーマチュア２０は、ベース部材６に挿入されると、側面開口１０の縁及び下側アーマチュアクロスバー２６によりガイドされる。
【００１５】
図９に示されるように、ばねシステム３は、リリース（解放）ばね１７、作動ばね１９及び切換えばね１８を有する。リリースばね１７、切換えばね１８及び作動ばね１９は、略同一構造の足要素４２により一体的に連結されている。各足要素４２は、足要素４２、穿孔されたボタン４５及びロック装置４６と一体的に連結されたコンタクト舌片４３を有する。作動ばね１９及びリリースばね１７の足要素４２は曲がった形状を有する。切換えばね１８の足要素４２は実質的に直線の形状を有する。足要素４２は上述した形状で図示されているが、コンタクト舌片４３の所望の間隔によって形状を変更できることは当業者に理解されよう。コンタクト舌片４３間に配置されるのは深さ方向端停止部４４である。深さ方向端停止部４４は挿入スロット１４，１５，１６の底面に接触する。そして、穿孔されたボタン４５及びロック装置４６は、所定の深さに到達して足要素４２を所定位置に固定する際に、挿入スロット１４，１５，１６に配置されるロック突起４７と係合する。
【００１６】
図７に示されるように、切換えばね１８は両アーマチュアばね４１及び両面コンタクト４８を有する。アーマチュアばね４１は、ばねアームとして構成されると共に、切換えばね１８の縦両側面から所定距離の位置に縦両側面と平行に配置される。アーマチュアばね４１及び切換えばね１８は共に、足要素４２の幅を示し、一体物として相互に接続される。しかし、機能的には独立を保っている。アーマチュアばね４１は、傾斜アーマチュア２０をリセットするよう作用し、同時に櫛歯４用のばね側ベアリングとして作用する。この目的のために、アーマチュアばね４１は、その自由端にばねフォーク５０を有する。図１及び図１０に示されるように、切換えばね１８は、ベース部材６の挿入スロット１５内に挿入される。
【００１７】
図８に示されるように、リリースばね１７及び作動ばね１９は、切換えばね１８より狭く、実質的に同一構造である。リリースばね１７及び作動ばね１９は、両面コンタクト４８と略同一高さに配置された１個の片面コンタクト４９を有する。リリースばね１７及び作動ばね１９の自由端には、停止片５３が設けられる。リリースばね１７及び作動ばね１９は曲げ線５４の位置に若干の曲げを有するので、設置位置においてリリースばね１７及び作動ばね１９は切換えばね１８に向かって傾斜し、カバー３９の取付けを簡単にする。図１及び図１０に示されるように、リリースばね１７及び作動ばね１９は、ベース部材６の挿入スロット１４，１６内に鏡像反転して挿入される。
【００１８】
図１に示されるように、櫛歯４は、磁石システム２及びばねシステム３の間に延びる。図６に示されるように、櫛歯４の第１端にはヒンジ３７を有するフォーク２９がある。櫛歯４は、その第２端にばね側ヒンジ５１及び駆動片５２を有する。図１に示されるように、櫛歯４のばね側ヒンジ５１は、アーマチュアばね４１のばねフォーク５０内に嵌めることができる。切換えばね１８は、図１１に示される櫛歯４及び駆動片５２を介して傾斜アーマチュア２０と圧接状態にある。
【００１９】
図１１及び図１２に示されるように、カバー３９は、カバー頂部５９及び停止部３８，５５，５６，５７，５８を有する。第１停止部３８は、傾斜アーマチュア２０に近い上側ヨーククロスバー２３の一面に配置される。第２停止部５５は、傾斜アーマチュア２０から離れた側面で傾斜アーマチュア２０に隣り合う。このようにして、カバー３９は、磁石システム２及びばねシステム３に対して確実に位置決めされる。第３停止部５６は、片面コンタクト４９が切換えばね１８の両面コンタクト４８に隣り合うと、傾斜アーマチュア２０が開いて回路が閉成するように、リリースばね１７の位置を固定する。第４停止部５７は作動ばね１９を位置決めする。作動ばね１９の停止片５３は、傾斜アーマチュア２０が開く際に、傾斜アーマチュア２０から離れて位置決めされた第４停止部５７の側面に隣り合う。作動ばね１９の片面コンタクト４９は、コンタクト間隙により切換えばね１８の両面コンタクト４８から離れて配置される。第５停止部５８も、その曲げ長さを短くすることにより作動ばね１９を位置決めし、作動ばね１９の剛性を増大する。停止部３８，５５，５６，５７及びばねシステム３は、リレー上にカバー３９を位置決めすることによって所望の位置に到達し、リリースばね１７、作動ばね１９及び切換えばね１８の複雑な個々の調整を不要にする。
【００２０】
次に、リレーの作動を詳細に説明する。図１に示されるように、傾斜アーマチュア２０が開くと、リリースばね１７の片面コンタクト４９が切換えばね１８の両面コンタクト４８に接触する。閉成回路電流が両面コンタクト４８及び片面コンタクト４９に流れる。コンタクトピン６０を介してのコイル２８の励磁の後、図２に示されるように傾斜アーマチュア２０が拾い上げ、図１１に示されるヒンジ３７、櫛歯４及び駆動片５２を介して移動を切換えばね１８に伝達する。傾斜アーマチュア２０の移動は、第３停止部５６に当接したままのリリースばね１７の片面コンタクト４９から切換えばね１８の両面コンタクト４８を分離させ、回路を開放する。
【００２１】
コンタクト間隙が克服された後、切換えばね１８の両面コンタクト４８及び作動ばね１９の片面コンタクト４９が接触して回路を閉成する。十分な接触圧力を達成するために、切換えばね１８及び作動ばね１９は、作動ばね１９を第４停止部５７から持ち上げて第５停止部５８に休止させるよう進み過ぎる。これにより、作動ばね１９の曲げ長さが短くなり、作動ばね１９の接触力が対応して増大する。切換えばね１８と平行な状態で、アーマチュアばね４１は、ばね側ヒンジ５１を介して予荷重が与えられる。コイル２８の電流が一旦遮断されると、傾斜アーマチュア２０は、予荷重が与えられたアーマチュアばね４１により変位して開位置に戻る。このようにして、開回路が再び開放され、開回路が閉成する。
【００２２】
本発明のリレーの第２実施形態が図１３ないし図２０に示される。図１３は、カバーを除いた第２実施形態のリレーの斜視図である。図１４は、図１３のリレーのコイルベース部材の斜視図である。図１５は、図１３のリレーの傾斜アーマチュアまたはヨークの斜視図である。図１６は、設置位置にある図１５のヨーク及び傾斜アーマチュアの斜視図である。図１７は、図１３のリレーの切換えばね、傾斜アーマチュア及び作動ばねを有するばねシステムの斜視図である。図１８は、ヨーク、ばねシステム及びコイルを有する図１４のコイルベース部材の斜視図である。図１９は、カバー頂部を除いたカバーを有する図１３のリレーの斜視図である。図２０は、停止部を有する図１９のカバーの内部斜視図である。
【００２３】
リレーの第２実施形態は、図１ないし図１２に示されるリレーの第１実施形態と略同様に作用し、略同様の構造を有する。同様の部品には同一の参照番号が付されるが、記号「'」が付加される。第１実施形態とは詳細な点で異なる部品には、ヨーク７'、傾斜アーマチュア２０'、櫛歯４'、リリースばね１７'、切換えばね１８'及び作動ばね１９'がある。
【００２４】
図１３は、コイルベース部材１'と、櫛歯４'によりばねシステム３'に連結された磁石システム２'とを有するリレーを示す。図１３及び図１４に示されるように、コイルベース部材１'は電気的に絶縁性の材料で形成され、一体的に連結されたコイル部材５'及びベース部材６'を有する。コイル部材５'は、図１５に示されるヨーク７'の断面に対応する略矩形の内部断面を有する略筒状中空部材である。図１４に示されるように、内部断面は、狭い内側面８'と、自由端に配置されたカラー９'を有する。カラー９'は位置決め突起４０'を有する。
【００２５】
図１４に示されるように、ベース部材６'は、両側面１２'、段付き底面１３'及び上側面１１'を有する。ベース部材６'は、第１挿入スロット１４'、第２挿入スロット１５'、第３挿入スロット１６'及びコンタクトピン６０'を有する。側面開口１０'は、コイル部材５'の狭い内側面８'から、上面１１'、側面１２'及び底面１３'に延びる。
【００２６】
図１３に示されるように、磁石システム２'は、コイル２８'、ヨーク７'及び傾斜アーマチュア２０'を具備する。図１５に示されるように、ヨーク７'及び傾斜アーマチュア２０'は、略同一の形状である。ヨーク７'及び傾斜アーマチュア２０'は同一の形状であるので、ヨーク７'及び傾斜アーマチュア２０'は機能的な要求事項に関係なく同様の特徴を有することは当業者には理解されよう。
【００２７】
ヨーク７'及び傾斜アーマチュア２０'の断面は略一定である。ヨーク７'は、略Ｃ形状をなし、上側及び下側ヨーククロスバー２３'，２４'を一体的に連結するヨークウエブ２１'を有する。上側ヨーククロスバー２３'及びアーマチュアクロスバー２５'の上縁には、段部６１が設けられる。中心からずれた横溝６２が、上側ヨーククロスバー２３'及びアーマチュアクロスバー２５'に設けられる。アーマチュア溝６２は、櫛歯４'のアーマチュア側の端部が上側ヨーククロスバー２３'を貫通するのを許容し、同時に櫛歯４'のアーマチュア側の端部が上側アーマチュアクロスバー２５'に従動することを許容する。
【００２８】
図１３及び図１６に示されるように、ヨーク７'及び傾斜アーマチュア２０'は、側面からコイルベース部材１'の側面開口１０'内に挿入するために設置位置で鏡像反転されている。図１３及び図１４に示されるように、側面開口１０'及び段付き底面１３'には、傾斜アーマチュア２０'の移動を可能にする十分な空間が設けられる。対照的に、ヨーク７'は、付加的な空間が殆どない状態でコイル部材５'の矩形内部断面に嵌まる。
【００２９】
カラー９'に設けられた弾性位置決め突起４０'は、ヨーク７'を横方向に位置決めし、ヨーク７'が設置位置に到達するとヨーク７'にスナップ係合する。コイル２８'は、カラー９'によりガイドされたヨーク７'の周囲に巻かれ、ヨーク７'を設置位置に固定する。傾斜アーマチュア２０'は、ベース部材６'に挿入されると、側面開口１０'の縁及び下側アーマチュアクロスバー２６'によりガイドされる。
【００３０】
図１７に示されるように、ばねシステム３'は、リリースばね１７'、 切換えばね１８'及び作動ばね１９'を有する。切換えばね１８'、リリースばね１７'及び作動ばね１９'は、略同一構造の足要素４２'により一体的に連結され、好適には同一金型で形成される。各足要素４２'は、足要素４２'及びロック装置４６'と一体的に連結されたコンタクト舌片４３'を有する。コンタクト舌片４３'の所望の空間に依存して、コンタクト舌片４３'は真直ぐ又は湾曲して形成される。コンタクト舌片４３'間に配置されるのは深さ方向端停止部４４'である。リリースばね１７'及び作動ばね１９'は、足要素４２'が横方向に反転して挿入スロット１４'，１６'内に挿入される。深さ方向端停止部４４'は挿入スロット１４'，１５'，１６'の一つの底面に接触する。そして、ロック装置４６'は、所定の深さに到達して足要素４２'を所定位置に固定する際に、挿入スロット１４'，１５'，１６'と自動的に係合する。
【００３１】
図１７に示されるように、リリースばね１７'及び作動ばね１９'は、切換えばね１８'より狭く、実質的に同一構造である。リリースばね１７'及び作動ばね１９'は、両面コンタクト４８'と略同一高さに配置された１個の片面コンタクト４９'を有する。リリースばね１７'及び作動ばね１９'は曲げ線５４'の位置に若干の曲げを有するので、設置位置においてリリースばね１７'及び作動ばね１９'は切換えばね１８'に向かって傾斜し、カバー３９'の取付けを簡単にする。ばねアーム６３は、リリースばね１７'及び作動ばね１９'の各縦側面と平行に配置される。ばねアーム６３は、足要素４２と一体的に連結されている。
【００３２】
図１７に示されるように、切換えばね１８'は両アーマチュアばね４１'及び両面コンタクト４８'を有する。アーマチュアばね４１'は、一体的に連結されたばねアームとして構成されると共に、切換ばね１８'の自由端でばねアームを切り離すことにより形成される。アーマチュアばね４１'は、切換えばね１８'の縦両側面から所定距離の位置に縦両側面と平行に配置される。アーマチュアばね４１'及び切換えばね１８'は共に、足要素４２'の幅を示し、一体物として相互に接続される。しかし、機能的には独立を保っている。アーマチュアばね４１'は、傾斜アーマチュア２０'をリセットするよう作用し、同時に櫛歯４'用のばね側ベアリングとして作用する。この目的のために、アーマチュアばね４１'は、その自由端にばねフォーク５０'を有する。図１３及び図１８に示されるように、切換えばね１８'は、ベース部材６'の挿入スロット１５'内に挿入される。
【００３３】
図１３及び図１９に示されるように、櫛歯４'は、磁石システム２'及びばねシステム３'の間に延びる。櫛歯４'の第１端には、ヨーク７'の横溝６２と係合して櫛歯４'をアーマチュアばね４１'と共に上側アーマチュアクロスバー２５'及び切換えばね１８'に圧接させる第１及び第２の突起がある。櫛歯４'は、その第２端にばね側ヒンジ５１'及び駆動片５２'を有する。櫛歯４'のばね側ヒンジ５１'は、アーマチュアばね４１'のばねフォーク５０'内に嵌めることができる。切換えばね１８'は、櫛歯４'及び２個の駆動片５２'を介して傾斜アーマチュア２０'と圧接状態にある。
【００３４】
図１９及び図２０に示されるように、カバー３９'は、カバー頂部５９'及び停止部３８'，５５'，５６'，５７'，５８'を有する。第１停止部３８'は、傾斜アーマチュア２０'の横溝６２領域の傾斜アーマチュア２０'に近い上側ヨーククロスバー２３'の一面に配置される。第２停止部５５'は、その端部が傾斜アーマチュア２０'から離れた側面で隣り合う。このようにして、カバー３９'は、磁石システム２'及びばねシステム３'に対して確実に位置決めされる。第３停止部５６'は、片面コンタクト４９'が切換えばね１８'の両面コンタクト４８'に隣り合うと、傾斜アーマチュア２０'が開いて回路が閉成するように、リリースばね１７'の位置を固定する。第４停止部５７'は、傾斜アーマチュア２０'が開く際にアーマチュアから離れた第４停止部５７'の側面に隣り合う作動ばね１９'を位置決めする。作動ばね１９'の片面コンタクト４９'は、コンタクト間隙により切換えばね１８'の両面コンタクト４８'から離れて配置される。作動ばね１９'の第５停止部５８'は、作動ばね１９'の曲げ長さを短くし、作動ばね１９'の剛性を増大させる。停止部３８'，５５'，５６'，５７'，５８'及びばねシステム３'は、リレー上にカバー３９'を位置決めすることによって所望の位置に到達し、リリースばね１７'、作動ばね１９'及び切換えばね１８'の複雑な個々の調整を不要にする。
【００３５】
第２実施形態のリレーは第１実施形態のリレーと略同様に作用する。このため、第２実施形態の機能は、当業者であれば第１実施形態と略同じであると理解されよう。
【００３６】
個別に製造されたベース部材及びコイル部材と比較して、第１及び第２実施形態のリレーの一体構造は、低製造コスト、低組立コスト及び比較的高強度であることで区別される。第１及び第２実施形態のリレーの利点は以下の通りである。
【００３７】
コイルベース部材の側面開口は、コイルベース部材の製造を簡単にし、ヨーク及び傾斜アーマチュアの横方向実装を可能にする。さらに、コイルベース部材の側壁を省略したことにより、コイル、ヨーク及び傾斜アーマチュアの断面に大きな空間を提供する。これにより、磁石システムの力が増大する。
【００３８】
コイルベース部材の側面開口は、また一体部品のヨークの使用を可能にする。このヨークは、コイルの巻き付けの前に側面からコイルベース部材内に挿入され、巻き付けにより囲まれ、所定位置に固定される。
【００３９】
側面開口は、ヨーク及び傾斜アーマチュアの横方向挿入、並びに傾斜アーマチュアに要する開口断面を提供するように設計される。
【００４０】
側面開口の縁におけるカラー上の弾性位置決め突起は、ヨークをコイルベース部材内に挿入する際に、ヨークを自動的に横方向に固定する。
【００４１】
本発明の利点がある構成は、ベース部材内に複数の挿入スロットの一方が他方の背後に離間して配置されるという事実からなる。このようにして、均一のばね構成に好適な巧妙なばねシステムが得られる。
【００４２】
ヨークウエブ、上側ヨーククロスバー及び下側ヨーククロスバーからなるＣ形状ヨークは、ヨークウエブがコイルコアとして作用すること、及びヨーククロスバーが両端でコイルを超えて横方向に突出することを可能にする。Ｃ形状傾斜アーマチュア及びその鏡像反転の配置は、アーマチュアウエブが上下アーマチュアクロスバーの前で傾斜移動し、コイルの上下でそれそれ同様に作用することを可能にする。ヨーク及び傾斜アーマチュアの鏡像反転配置により、クロスバーに大きな面接触が生じ、磁力線を最大にする。
【００４３】
本発明の別の利点は、アーマチュアウエブの断面がヨークから離れた一側面で上側アーマチュアクロスバーに向かって連続的に減少し、上側アーマチュアクロスバーの断面がその上端に向かって段状に減少するという事実である。傾斜アーマチュアの上端に向かって断面が減少することにより、傾斜アーマチュアの回転モーメントが減少するので、傾斜アーマチュアの閉成速度及び振動に対する鈍感さが増大する。
【００４４】
上側アーマチュアクロスバーの最後の階段が２端での横溝を有し、この横溝内に櫛歯の対応するヒンジがスナップ係合し又は嵌まるので、簡単な櫛歯の取付け及び精確な櫛歯の案内が達成される。
【００４５】
コイルを素早く巻き付けるために、ヨークの下側クロスバーがヨークウエブを超えて突出する延長部を有し、この延長部がコイルベース部材の対応する延長部受容凹部と係合すると有利である。このようにして、磁石システムは、製造工程での要求事項を満足することができる。
【００４６】
また、ヨーク及び傾斜アーマチュアが同一構造であることも利点である。ヨーク及び傾斜アーマチュアが同一構造であることは、リレーの製造コストの観点で非常に意義がある。両者に必要な金型及び在庫アイテムは１つで済むからである。
【００４７】
本発明の別の利点は、上側ヨーク又はアーマチュアクロスバーが、中心からずれた横溝と、コンタクト側から離れる方向に面する上縁に段部とを有することである。上側クロスバーの段部はその回転モーメントを減少させるので、傾斜アーマチュアの閉成速度及び振動に対する鈍感さが増大する。
【００４８】
横溝は、ばねから離れた端部で櫛歯を案内するように作用する。横溝が中心からずれた配置されることは、横溝が設置位置に整列するのではなく、代わりに千鳥配列する効果を有するので、傾斜アーマチュアが櫛歯及びヨークに同時に作用して櫛歯を案内することができる。
【００４９】
ロック装置は、ばねの足要素上に設けられ、足要素が挿入スロット内に挿入さればねの位置を固定する際に、挿入スロットと共に自動的にロックする。このようにして、ばねの取付けが簡単になる。ばねは、深さ方向の端部停止部までベース部材の挿入スロット内に単に挿入するのみである。ばねをロックして次に位置を固定することは自動的に行われる。
【００５０】
リリースばね及び作動ばねは、接地位置でのそれらの間に配置された切換えばねに向かって傾斜している。このようにして、とりわけカバーの実装が間単になる。
【００５１】
切換えばねが好適には各外側面と平行なアーマチュアばねを有する点で、簡単なばねシステム構造が達成される。アーマチュアばねは、足要素を介して切換えばねに連結される。このようにして、３個の独立したばねは、切換えばねの足要素上に配列される。
【００５２】
アーマチュアばねが傾斜アーマチュアをリセットするように作用し、同時に櫛歯用のばね側ベアリングとして作用するという特有の利点がある。さらに、ばねアーム上に櫛歯を取り付けることは、ベアリング及び切換えコンタクト間のより大きな距離をもった従来の切換えばねの取付けを超える利点を有する。このようにして、プラスチックの摩耗による接点障害の危険が低下する。また、２個のアーマチュアばねは、リレーの双極変形例の場合に利点を提供する。
【００５３】
また、コンタクト舌片が、足要素のばねから離れた両端部の各縁領域に配置され、それらの間に配置された深さ方向の端停止部を有するという利点がある。このようにして、足要素の正確な位置決め及びばねの正確な位置決めが保証される。また、作動ばね及びアーマチュアばねは単一の金型で製造される。これにより、大きな製造上の利点を提供する。個々のばねは、その後の２個のアーマチュアばねの切り離しと同様に、内部領域でのコンタクト舌片及びコンタクトの数及び構造が異なる。
【００５４】
カバーは、ヨーク、第３、第４及び第５停止部に対して長手方向にカバーを固定するために、リリースばね、切換えばね及び作動ばねの長手方向の位置を決めて固定するために、そしてばね剛性を増大するために、カバー頂部の内側に第１及び第２停止部を有する。カバーをヨークに固定することにより、磁石システム及びばねシステム間にカバーに関連する公差は生じない。別々に調整された切断接触圧力、コンタクト間隙及び過行程を有するばねとは対照的に、本発明による解決の場合には製造コスト及び組立コストが決定的に減少する。これは単にカバーを所定位置にセットすることしか要しないので、全停止部は所望の位置に達する。カバーの取付けの際に、寿命を決定する切換えコンタクトの値を自動的に精密且つ正確に調整することにより、リレーの寿命は飛躍的に増大する。
【００５５】
本発明を図示の実施形態に関して説明したが、本発明の真髄及び範囲を逸脱することなく変形が可能であることは理解されよう。例えば、リレーは２個以上のコンタクトで構成されてもよく、略同様の結果を得るために複数のばねシステムであってもよい。
【図面の簡単な説明】
【図１】本発明の、カバーのない第１実施形態のリレーを示す斜視図である。
【図２】図１のリレーのコイルベース部材を示す斜視図である。
【図３】図１のリレーのヨークを示す斜視図である。
【図４】図１のリレーの傾斜アーマチュアばねから離れた側を示す斜視図である。
【図５】設置位置に位置する図３及び図４の傾斜アーマチュア及びヨークを示す斜視図である。
【図６】図１のリレーの櫛歯を示す斜視図である。
【図７】図１のリレーの２個のアーマチュアばねを有する切換えばねを示す斜視図である。
【図８】図１のリレーのリリースばね又は作動ばねを示す斜視図である。
【図９】図７及び図８の切換えばね及び作動ばねを有するばねシステムを示す斜視図である。
【図１０】ヨーク、ばねシステム及びコイルを有する図２のコイルベース部材を示す斜視図である。
【図１１】上部カバー部分を除いたカバーを有する図１のリレーを示す斜視図である。
【図１２】停止部を有する図１１のカバーを示す内部斜視図である。
【図１３】カバーを除いた第２実施形態のリレーの斜視図である。
【図１４】図１３のリレーのコイルベース部材の斜視図である。
【図１５】図１３のリレーの傾斜アーマチュアまたはヨークの斜視図である。
【図１６】設置位置にある図１５のヨーク及び傾斜アーマチュアの斜視図である。
【図１７】図１３のリレーの切換えばね、傾斜アーマチュア及び作動ばねを有するばねシステムの斜視図である。
【図１８】ヨーク、ばねシステム及びコイルを有する図１４のコイルベース部材の斜視図である。
【図１９】カバー頂部を除いたカバーを有する図１３のリレーの斜視図である。
【図２０】停止部を有する図１９のカバーの内部斜視図である。
【符号の説明】
１，１'       コイルベース部材
２，２'       磁石システム
４，４'       櫛歯
５，５'       コイル部材
６，６'       ベース部材
７，７'       ヨーク
８，８'       内側面
９，９'       カラー
１０，１０'   側面開口
１１，１１'   上面
１２，１２'   側面
１３，１３'   底面
１４，１４'，１５，１５'，１６，１６'   挿入スロット
１７，１７'   リリースばね
１８，１８'   切換えばね
１９，１９'   作動ばね
２０，２０'   傾斜アーマチュア
２１，２１'   ヨークウエブ
２２，２２'   アーマチュアウエブ
２３，２３'   上側ヨーククロスバー
２４，２４'   下側ヨーククロスバー
２５，２５'   上側アーマチュアクロスバー
２６，２６'   下側アーマチュアクロスバー
２８，２８'   コイル
３０          延長部
３１          延長部受容凹部
３４，３５    段部
３８，３８'   第１停止部
３９，３９'   カバー
４０，４０'   位置決め突起
４１，４１'   アーマチュアばね
４２，４２'   足要素
４６，４６'   ロック装置
５５，５５'   第２停止部
５６，５６'   第３停止部
５７，５７'   第４停止部
５８，５８'   第５停止部
５９，５９'   内面
６１          段部
６２          横溝
【図１】
0004179532.tif 000002
【図２】
0004179532.tif 000003
【図３】
0004179532.tif 000004
【図４】
0004179532.tif 000005
【図５】
0004179532.tif 000006
【図６】
0004179532.tif 000007
【図７】
0004179532.tif 000008
【図８】
0004179532.tif 000009
【図９】
0004179532.tif 000010
【図１０】
0004179532.tif 000011
【図１１】
0004179532.tif 000012
【図１２】
0004179532.tif 000013
【図１３】
0004179532.tif 000014
【図１４】
0004179532.tif 000015
【図１５】
0004179532.tif 000016
【図１６】
0004179532.tif 000017
【図１７】
0004179532.tif 000018
【図１８】
0004179532.tif 000019
【図１９】
0004179532.tif 000020
【図２０】
0004179532.tif 000021